(57)【特許請求の範囲】
【請求項１】
袋体の両側部にサイドシールが施されていること、および、
前記袋体の上部側にある開口部には、スライダーで開閉されるチャックが設けられていること、および、
前記チャックを開閉するための前記スライダーが、そのスライダー上面にスライダー天部を有するとともに、そのスライダー内側に開口ガイドを備えていること、および、
前記チャックにはそのチャックが開閉できるように前記スライダーが組み合わされていること、および、
前記袋体の開口部については、前記チャックが前記スライダーを介して閉じ状態にあるときのチャック閉じ端部側に隙間が生じるものであること
を前提とする合成樹脂製袋体において、
前記スライダーを介して閉じられるチャックの閉じ端部側と前記サイドシール上端部側とがなす袋体隅角部には、三つの辺を有する三角形の気密シールが施されていること、および、
前記三角形の気密シールにおける三つの辺について、その一辺が前記チャックの長さ方向に沿う横向きの直線状をなすものであり、他の一辺が前記サイドシールの長さ方向に沿う縦向きの直線状をなすものであり、さらに、残る一辺が、前記チャック側から前記サイドシール側に向けて下降傾斜する直線状のものと、前記チャック側から前記サイドシール側に向けて下降傾斜する凹円弧状のものとのうちから選択されたいずれかであること、および、
前記スライダーがその上面全体に及ぶ上面壁を有し、かつ、当該スライダー内の前記開口ガイドが、そのスライダースライド方向におけるスライダー中央に配置されているとともに、前記スライダー天部が当該スライダーにおけるスライダー閉じ側の端部からスライダ中央側にわたるスライダー上面部に存在するものであること、および、
前記袋体上部側の開口部に設けられた前記チャックが閉じ状態にあるときのチャック閉じ端部側においては、前記スライダーの閉じ側の端部が前記気密シールの縦方向の辺と一致していて当該スライダーのスライダー天部がチャック閉じ端部の前記隙間を隠蔽するものであること
を特徴とする合成樹脂製袋体。
【発明の詳細な説明】
【技術分野】
【０００１】
本発明は、気密性を保持した合成樹脂製袋体に関するものである。
【背景技術】
【０００２】
図４及び図５で示すようにサイドシール２が施され、開口部にスライダー４によって開閉されるチャック３を備えた合成樹脂製袋体１において、前記スライダー４によるチャック３の閉じ端部にはスライダー４内先端の開口ガイド４ａによってチャック３の端部を分離しているため、これによりチャック３の閉じ端部には袋体内外を連通する隙間７ができてエアーが出入りし気密性に難点があり、通気を嫌う内容物においては変質等の不具合をもたらしていると共に前記隙間７は見栄えを悪くしていた。
【特許文献１】ＷＯ２００３−０２２６９７号公報
【特許文献２】特開２００４−０８３０６８号公報
【発明の開示】
【発明が解決しようとする課題】
【０００３】
本発明は、上記従来の問題点に鑑みて、気密性を確保しチャック閉じ端部の見栄えを向上した合成樹脂製袋体を提供することである。
【課題を解決するための手段】
【０００４】
上記の課題を解決するための本発明は、
袋体の両側部にサイドシールが施されていること、および、
前記袋体の上部側にある開口部には、スライダーで開閉されるチャックが設けられていること、および、
前記チャックを開閉するための前記スライダーが、そのスライダー上面にスライダー天部を有するとともに、そのスライダー内側に開口ガイドを備えていること、および、
前記チャックにはそのチャックが開閉できるように前記スライダーが組み合わされていること、および、
前記袋体の開口部については、前記チャックが前記スライダーを介して閉じ状態にあるときのチャック閉じ端部側に隙間が生じるものであること
を前提とする合成樹脂製袋体において、
前記スライダーを介して閉じられるチャックの閉じ端部側と前記サイドシール上端部側とがなす袋体隅角部には、三つの辺を有する三角形の気密シールが施されていること、および、
前記三角形の気密シールにおける三つの辺について、その一辺が前記チャックの長さ方向に沿う横向きの直線状をなすものであり、他の一辺が前記サイドシールの長さ方向に沿う縦向きの直線状をなすものであり、さらに、残る一辺が、前記チャック側から前記サイドシール側に向けて下降傾斜する直線状のものと、前記チャック側から前記サイドシール側に向けて下降傾斜する凹円弧状のものとのうちから選択されたいずれかであること、および、
前記スライダーがその上面全体に及ぶ上面壁を有し、かつ、当該スライダー内の前記開口ガイドが、そのスライダースライド方向におけるスライダー中央に配置されているとともに、前記スライダー天部が当該スライダーにおけるスライダー閉じ側の端部からスライダ中央側にわたるスライダー上面部に存在するものであること、および、
前記袋体上部側の開口部に設けられた前記チャックが閉じ状態にあるときのチャック閉じ端部側においては、前記スライダーの閉じ側の端部が前記気密シールの縦方向の辺と一致していて当該スライダーのスライダー天部がチャック閉じ端部の前記隙間を隠蔽するものであること
を特徴とするものである。
【発明の効果】
【０００５】
本発明の合成樹脂製袋体によると、チャックの閉じ端部側における袋体隅角部に気密シールを施すことによりチャックの閉じ端部側における気密性を確保する。また、スライダー内側に配置されている開口ガイドをスライド方向の中央に配置することによりスライダー天部でチャック閉じ端部の隙間が隠蔽され見栄えをよくし品質を向上した合成樹脂製袋体を提供することができる効果を有している。
【発明を実施するための最良の形態】
【０００６】
以下本発明を実施するための最良の形態を図面に基づいて説明する。図１において１は両側がサイドシール２されている合成樹脂製の袋体であり、その開口部にはスライダー４によって開閉する雌雄咬合型のチャック３が設けられている。
【０００７】
本発明は前記スライダー４によるチャック３の閉じ端部側におけるチャック３とサイドシール２とに渡る袋体隅角部に気密シール５を施す。
【０００８】
上記気密シール５は図示では三角形であるが、チャック３とサイドシール２とに渡る三角形の底辺を凹円弧状として、チャック３の閉じ端部における袋体内外を連通する隙間７が閉塞される形状でもよい。
【０００９】
さらに、本発明は前記スライダー４内側に配置されている開口ガイド４ａをスライド方向Ｓの中央に配置しスライダー天部Ｗでチャック閉じ端部の隙間７を隠蔽するようにしたものである。
【００１０】
本発明に係る合成樹脂製袋体は上記の通りの構造であり、しかもそれが、チャック３の閉じ端部側におけるチャック３とサイドシール２とに渡る袋体隅角部に気密シール５を施したものであるため、チャック閉じ端部側の隙間７に起因した袋体内外の連通を遮断して袋体１の気密状態を保持することができる。
【００１１】
本発明に係る合成樹脂製袋体は、また、スライダー４内側に配置されている開口ガイド４ａをスライド方向Ｓの中央に配置することにより、チャック３の閉じ端部においてスライダー４はサイドシール２の近傍までスライドして位置することができ、これによりスライダー天部Ｗはチャック３の閉じ端部に具現する隙間７が隠蔽され見栄えをよくし品質を向上する。
【００１２】
本発明に係る合成樹脂製袋体の場合は、このように、チャック３の閉じ端部側におけるチャック３とサイドシール２とに渡る袋体隅角部に気密シール５が施されているものである。したがって、チャック３の閉じ状態においてチャック閉じ端部側に隙間７が生じるという袋体１であっても、その隙間７に起因した袋体内外の連通を遮断して当該袋体１の気密状態を確保することができ、それによって内容物の変質等を防止することができる。その上、スライダー４内側に配置されている開口ガイド４ａをスライド方向Ｓの中央に変更配置した簡単な構造により、チャック３の閉じ端部においてスライダー４はサイドシール２の近傍までスライドして位置させることができ、これによりスライダー天部Ｗでチャック３の閉じ端部に具現する隙間７を隠蔽し見栄えをよくし品質を向上する利点を有している。
【図面の簡単な説明】
【００１３】
【図１】本発明によるチャック閉じ端部の要部断面図
【図２】図１のＡ矢視図
【図３】本発明によるチャック閉じ端部の斜視図
【図４】従来例のチャックの閉じ端部を袋体内側より視た図
【図５】従来のチャック閉じ端部の斜視図
【符号の説明】
【００１４】
１    袋体
２    サイドシール
３    チャック
４    スライダー
４ａ  開口ガイド
５    気密シール
Ｗ スライダー天部
Ｓ スライダーのスライド方向
【図１】
0005000157.tif 000002
【図２】
0005000157.tif 000003
【図３】
0005000157.tif 000004
【図４】
0005000157.tif 000005
【図５】
0005000157.tif 000006